(57)【要約】      （修正有）【課題】著作物が違法に記憶手段に記憶されることを抑制又は防止する情報処理装置及びプログラムを提供する。【解決手段】情報処理装置は、記憶手段に記憶されている著作物の少なくとも作成日と内容とを示す属性情報を管理する管理手段と、新たに管理手段の管理対象となる著作物が記憶手段に記憶されようとしている場合、記憶手段に既に記憶されている著作物の属性情報と、新たに管理対象となる著作物の属性情報とに基づいて、新たに管理対象となる著作物を記憶手段に記憶することを許可するか否かを判定する判定手段と、を有する。【選択図】図２
2020187639.tif 000002
【特許請求の範囲】
【請求項１】
記憶手段に記憶されている著作物の少なくとも作成日と内容とを示す属性情報を管理する管理手段と、
新たに前記管理手段の管理対象となる著作物が前記記憶手段に記憶されようとしている場合、前記記憶手段に既に記憶されている著作物の属性情報と、新たに管理対象となる著作物の属性情報とに基づいて、前記新たに管理対象となる著作物を前記記憶手段に記憶することを許可するか否かを判定する判定手段と、
を有する情報処理装置。
【請求項２】
前記判定手段による判定結果を、前記新たに管理対象となる著作物を前記記憶手段に記憶させようとしているユーザが利用する端末装置に表示させる制御手段を更に有する、
ことを特徴とする請求項１に記載の情報処理装置。
【請求項３】
前記新たに管理対象となる著作物の内容と同じ又は類似する内容を有する別の著作物が前記記憶手段に既に記憶されている場合、前記判定手段は、更に、前記新たに管理対象となる著作物及び前記別の著作物の中で作成日が早い著作物を元の著作物であると判定する、
ことを特徴とする請求項１又は請求項２に記載の情報処理装置。
【請求項４】
著作物の内容が更新された場合、前記判定手段は、更新後の内容に応じて判定結果を変更する、
ことを特徴とする請求項１から請求項３のいずれか一項に記載の情報処理装置。
【請求項５】
著作物の作成日が不明である場合、前記判定手段は、著作物の最新の更新日に基づいて前記判定を行う、
ことを特徴とする請求項１から請求項４のいずれか一項に記載の情報処理装置。
【請求項６】
前記新たに管理対象となる著作物と同じ又は類似する内容を有する別の著作物が前記記憶手段に既に記憶されている場合において、前記新たに管理対象となる著作物の作成日が前記別の著作物の作成日よりも早い場合、その旨を、前記別の著作物を前記記憶手段に記憶させたユーザ及び管理者の中の少なくとも一方に通知する通知手段を更に有する、
ことを特徴とする請求項１から請求項５のいずれか一項に記載の情報処理装置。
【請求項７】
前記新たに管理対象となる著作物の著作者と前記別の著作物の著作者とが同じである場合、前記通知手段は、前記通知を行わない、
ことを特徴とする請求項６に記載の情報処理装置。
【請求項８】
前記新たに管理対象となる著作物の著作者と前記記憶手段に既に記憶されている著作物の著作者とが同じである場合、前記判定手段は、前記判定を行わない、
ことを特徴とする請求項１から請求項７のいずれか一項に記載の情報処理装置。
【請求項９】
コンピュータを、
記憶手段に記憶されている著作物の少なくとも作成日と内容とを示す属性情報を管理する管理手段、
新たに前記管理手段の管理対象となる著作物が前記記憶手段に記憶されようとしている場合、前記記憶手段に既に記憶されている著作物の属性情報と、新たに管理対象となる著作物の属性情報とに基づいて、前記新たに管理対象となる著作物を前記記憶手段に記憶することを許可するか否かを判定する判定手段、
として機能させるプログラム。
【発明の詳細な説明】
【技術分野】
【０００１】
本発明は、情報処理装置及びプログラムに関する。
【背景技術】
【０００２】
著作物がサーバ等の記憶手段に記憶される場合がある。
【０００３】
特許文献１には、コンテンツが著作権に抵触しているか否かについての判定の対象となるコンテンツを抽出するシステムが記載されている。
【０００４】
特許文献２には、ユーザが閲覧しているウェブページ内のコンテンツの著作権侵害を調べて、発見された著作権侵害をサーバに通知するシステムが記載されている。
【０００５】
特許文献３には、コンテンツに著作権情報が埋め込まれていることが検出された場合、通知先に通知する装置が記載されている。
【０００６】
特許文献４には、著作権確認対象コンテンツから特徴データを抽出し、同じ特徴を有するコンテンツが検出された場合、著作権確認対象コンテンツの転送を不可と判断する装置が記載されている。
【先行技術文献】
【特許文献】
【０００７】
【特許文献１】特開２００９−２１７６６１号公報
【特許文献２】特開２００２−３６６５３１号公報
【特許文献３】特開２００３−３０３５９号公報
【特許文献４】特開２００８−２１７５７２号公報
【発明の概要】
【発明が解決しようとする課題】
【０００８】
本発明の目的は、著作物が違法に記憶手段に記憶されることを抑制又は防止することにある。
【課題を解決するための手段】
【０００９】
請求項１に係る発明は、記憶手段に記憶されている著作物の少なくとも作成日と内容とを示す属性情報を管理する管理手段と、新たに前記管理手段の管理対象となる著作物が前記記憶手段に記憶されようとしている場合、前記記憶手段に既に記憶されている著作物の属性情報と、新たに管理対象となる著作物の属性情報とに基づいて、前記新たに管理対象となる著作物を前記記憶手段に記憶することを許可するか否かを判定する判定手段と、を有する情報処理装置である。
【００１０】
請求項２に係る発明は、前記判定手段による判定結果を、前記新たに管理対象となる著作物を前記記憶手段に記憶させようとしているユーザが利用する端末装置に表示させる制御手段を更に有する、ことを特徴とする請求項１に記載の情報処理装置である。
【００１１】
請求項３に係る発明は、前記新たに管理対象となる著作物の内容と同じ又は類似する内容を有する別の著作物が前記記憶手段に既に記憶されている場合、前記判定手段は、更に、前記新たに管理対象となる著作物及び前記別の著作物の中で作成日が早い著作物を元の著作物であると判定する、ことを特徴とする請求項１又は請求項２に記載の情報処理装置である。
【００１２】
請求項４に係る発明は、著作物の内容が更新された場合、前記判定手段は、更新後の内容に応じて判定結果を変更する、ことを特徴とする請求項１から請求項３のいずれか一項に記載の情報処理装置である。
【００１３】
請求項５に係る発明は、著作物の作成日が不明である場合、前記判定手段は、著作物の最新の更新日に基づいて前記判定を行う、ことを特徴とする請求項１から請求項４のいずれか一項に記載の情報処理装置である。
【００１４】
請求項６に係る発明は、前記新たに管理対象となる著作物と同じ又は類似する内容を有する別の著作物が前記記憶手段に既に記憶されている場合において、前記新たに管理対象となる著作物の作成日が前記別の著作物の作成日よりも早い場合、その旨を、前記別の著作物を前記記憶手段に記憶させたユーザ及び管理者の中の少なくとも一方に通知する通知手段を更に有する、ことを特徴とする請求項１から請求項５のいずれか一項に記載の情報処理装置である。
【００１５】
請求項７に係る発明は、前記新たに管理対象となる著作物の著作者と前記別の著作物の著作者とが同じである場合、前記通知手段は、前記通知を行わない、ことを特徴とする請求項６に記載の情報処理装置である。
【００１６】
請求項８に係る発明は、前記新たに管理対象となる著作物の著作者と前記記憶手段に既に記憶されている著作物の著作者とが同じである場合、前記判定手段は、前記判定を行わない、ことを特徴とする請求項１から請求項７のいずれか一項に記載の情報処理装置である。
【００１７】
請求項９に係る発明は、コンピュータを、記憶手段に記憶されている著作物の少なくとも作成日と内容とを示す属性情報を管理する管理手段、新たに前記管理手段の管理対象となる著作物が前記記憶手段に記憶されようとしている場合、前記記憶手段に既に記憶されている著作物の属性情報と、新たに管理対象となる著作物の属性情報とに基づいて、前記新たに管理対象となる著作物を前記記憶手段に記憶することを許可するか否かを判定する判定手段、として機能させるプログラムである。
【発明の効果】
【００１８】
請求項１，３，９に係る発明によれば、著作物が違法に記憶手段に記憶されることを抑制又は防止することができる。
【００１９】
請求項２に係る発明によれば、ユーザは、著作物を記憶手段に記憶させることが許可されたか否かを認識することができる。
【００２０】
請求項４に係る発明によれば、著作物が更新された場合においても、著作物が違法に記憶手段に記憶されることを抑制又は防止することができる。
【００２１】
請求項５に係る発明によれば、著作物の作成日が不明な場合であっても、著作物が違法に記憶手段に記憶されることを抑制又は防止することができる。
【００２２】
請求項６に係る発明によれば、記憶手段に既に記憶されている別の著作物よりも先に作成された著作物が後から記憶手段に記憶されようとしていることを、当該別の著作物を記憶手段に記憶させたユーザや管理者に知らせることができる。
【００２３】
請求項７に係る発明によれば、不必要な通知が行われることが防止される。
【００２４】
請求項８に係る発明によれば、不必要は判定が行われることが防止される。
【図面の簡単な説明】
【００２５】
【図１】本実施形態に係る情報処理システムの構成を示すブロック図である。
【図２】本実施形態に係る情報処理装置の構成を示すブロック図である。
【図３】端末装置の構成を示すブロック図である。
【図４】管理テーブルを示す図である。
【図５】画面を示す図である。
【図６】画面を示す図である。
【発明を実施するための形態】
【００２６】
以下、図１を参照して、本実施形態に係る情報処理システムについて説明する。図１には、本実施形態に係る情報処理システムの構成の一例が示されている。
【００２７】
本実施形態に係る情報処理システムは、情報処理装置１０と、１又は複数の端末装置１２とを含む。情報処理システムは、これら以外の装置を含んでもよい。
【００２８】
情報処理装置１０及び端末装置１２は、通信経路Ｎを介して他の装置と通信してもよい。通信経路Ｎは、例えば、ＬＡＮ（Local Area Network）等のネットワークやインターネット等である。通信経路Ｎは、有線通信によって構築されてもよいし、Ｗｉ−Ｆｉ（登録商標）等の無線通信によって構築されてもよい。情報処理装置１０及び端末装置１２は、例えば、無線通信又は有線通信を利用して通信経路Ｎに接続し、通信経路Ｎを介して他の装置と通信する。情報処理装置１０及び端末装置１２は、通信経路Ｎを介さずに近距離無線通信等を利用して他の装置と通信してもよい。近距離無線通信は、例えば、Ｂｌｕｅｔｏｏｔｈ（登録商標）やＲＦＩＤ（Radio Frequency Identifier）やＮＦＣ等である。
【００２９】
情報処理装置１０は、著作物記憶部に記憶されている著作物データの属性情報を管理し、新たに管理対象となる著作物データが著作物記憶部に記憶されようとしている場合、当該新たに管理対象となる著作物データを著作物記憶部に記憶することを許可するか否かを判定するように構成されている装置である。著作物記憶部は、１又は複数の記憶装置（例えばハードディスクドライブやメモリ等の物理ドライブ）によって構成されている。著作物記憶部は、情報処理装置１０に設けられてもよいし、サーバ等の装置に設けられてもよい。例えば、著作物データが著作物記憶部にアップロードされようとしている場合、情報処理装置１０は、著作物データを著作物記憶装置にアップロードすることを許可するか否かを判定する。なお、情報処理装置１０はサーバであってもよい。
【００３０】
著作物データは、例えば、文書データ（例えばテキストデータ等）、画像データ（例えば静止画像データや動画像データ等）、音楽データ、音声データ、又は、これらのデータの組み合わせ等であり、その種類や内容については特に限定はない。例えば、著作権法に例示されている著作物が、本実施形態に係る著作物の概念の範疇に含まれる。例えば、言語の著作物（例えば小説や脚本や論文等）や、音楽の著作物や、舞踏の著作物や、美術の著作物（例えば絵画や版画や彫刻や美術工芸品等）や、建築の著作物や、図形の著作物（例えば地図や図面等）や、映画の著作物（例えば映画やテレビやテレビゲーム等）や、写真の著作物や、プログラムの著作物や、これらの二次的著作物等が、本実施形態に係る著作物の概念の範疇に含まれる。もちろん、これら以外の著作物が、本実施形態に係る著作物の概念の範疇に含まれてもよい。
【００３１】
著作物データの属性情報は、当該著作物データに付帯し、当該著作物データの属性を示す情報である。属性情報は、少なくとも、著作物データの内容を示す内容情報と、著作物データが作成された日である作成日を示す作成日情報とを含む。著作物データの内容は、著作物データそのものであってもよいし、著作物データの特徴であってもよいし、著作物データの概要であってもよい。作成日は、著作物データが創作された日である。作成日情報は、著作物データが作成された日時である作成日時を示す情報であってもよい。属性情報は、更に、著作物データのタイトルを示すタイトル情報、著作物データが更新された日である更新日を示す更新日情報、及び、著作者名を示す著作者情報等を含んでもよい。更新日情報は、著作物データが更新された日時である更新日時を示す情報であってもよい。もちろん、これら以外の情報（例えば著作権者を示す情報等）が属性情報に含まれてもよい。
【００３２】
著作物データが、非電子の著作物の原作を表すデータ（例えば文書データや画像データ）である場合、その原作が作成された日である原作作成日を示す情報や、その原作が作成された日時である原作作成日時を示す情報や、その原作の著作者名を著作者情報も、属性情報に含まれてもよい。非電子の著作物とは、電子化（つまりデータ化）されていない著作物である。例えば、原作であり電子化されていない書籍を表す画像データが著作物データとして作成された場合、当該著作物データの属性情報には、当該書籍の原作作成日や原作作成日時を示す情報と、当該書籍を表す画像データの作成日や作成日時を示す情報と、当該書籍の著作者を示す著作者情報が含まれる。例えば、電子化されていない書籍をスキャンすることで当該書籍を表す画像データが著作物データとして生成された場合、当該書籍に記載されている作成日が原作作成日として用いられ、当該著作物データが作成された日が当該著作物データの作成日として用いられる。なお、書籍をスキャンすることで、当該書籍に記載されている作成日を示す情報が取得されて属性情報に含まれてもよい。
【００３３】
端末装置１２は、著作物データを著作物記憶部に記憶させるときに用いられる装置である。一例として、端末装置１２は、パーソナルコンピュータ（以下、「ＰＣ」と称する）、タブレットＰＣ、スマートフォン、携帯電話、又は、その他の装置（例えば、スキャナやプリンタ等を有する複合機）である。もちろん、これらの装置は端末装置１２の一例に過ぎない。例えば、著作物データをアップロードするときに端末装置１２が用いられる。なお、著作物記憶部に記憶されている著作物データは、端末装置１２によって利用されてもよいし、端末装置１２以外の装置によって利用されてもよい。
【００３４】
以下、図２を参照して、情報処理装置１０の構成について詳しく説明する。図２には、情報処理装置１０の構成の一例が示されている。
【００３５】
通信部１４は通信インターフェースであって、他の装置に情報を送信する機能、及び、他の装置から情報を受信する機能を有する。通信部１４は、無線通信機能を有していてもよいし、有線通信機能を有していてもよい。通信部１４は、無線通信又は有線通信を利用することで通信経路Ｎを介した他の装置と通信してもよいし、近距離無線通信等を利用することで通信経路Ｎを介さずに他の装置と通信してもよい。
【００３６】
記憶部１６は、各種の情報を記憶する１又は複数の記憶領域である。各記憶領域は、例えば、情報処理装置１０に設けられている１又は複数の記憶装置（例えばハードディスクドライブやメモリ等の物理ドライブ）によって構成されている。
【００３７】
記憶部１６には管理情報が記憶されている。管理情報は、著作物記憶部に記憶されている著作物データの属性情報を管理するための情報である。例えば、著作物記憶部に著作物データがアップロードされると、アップロードされた著作物データの属性情報が管理情報に登録される。
【００３８】
著作物記憶部が記憶部１６に設けられてもよい。この場合、著作物データが情報処理装置１０にアップロードされて、記憶部１６に設けられている著作物記憶部に記憶されてもよい。
【００３９】
受付部１８は、著作物データの属性情報を受け付けるように構成されている。例えば、端末装置１２から情報処理装置１０に著作物データの属性情報が送信されると、受付部１８は、当該属性情報を受け付ける。
【００４０】
受付部１８は、著作物データを受け付けてもよい。例えば、著作物データのアップロード先の装置が情報処理装置１０である場合において、著作物データが情報処理装置１０にアップロードされると、受付部１８は、アップロードされた著作物データを受け付ける。当該著作物データは、記憶部１６に設けられている著作物記憶部に記憶される。
【００４１】
管理部２０は、著作物記憶部に記憶されている著作物データの属性情報を管理するように構成されている。具体的には、管理部２０は、著作物記憶部に記憶されている著作物データの属性情報を、記憶部１６に記憶されている管理情報に登録する。つまり、著作物データが著作物記憶部にアップロードされると、管理部２０は、アップロードされた著作物データの属性情報を管理情報に登録する。
【００４２】
判定部２２は、新たに管理部２０の管理対象となる著作物データが著作物記憶部に記憶されようとしている場合、著作物記憶部に既に記憶されている著作物データの属性情報と、新たに管理対象となる著作物データの属性情報とに基づいて、新たに管理対象となる著作物データを著作物記憶部に記憶することを許可するか否かを判定するように構成されている。上記のように、著作物記憶部に記憶されている著作物データの属性情報は管理情報に登録されているため、判定部２２は、管理情報を参照することで、新たに管理対象となる著作物データを著作物記憶部に記憶することを許可するか否かを判定する。
【００４３】
判定部２２による判定結果を示す情報は、情報処理装置１０から、新たに管理対象となる著作物データを著作物記憶部に記憶させようとしているユーザが利用する端末装置１２に送信される。そして、判定結果を示す情報は、端末装置１２に表示される。
【００４４】
例えば、新たに管理対象となる著作物データの内容と同じ内容を有する別の著作物データが、著作物記憶部に記憶されていない場合、判定部２２は、新たに管理対象となる著作物データを著作物記憶部に記憶することを許可する。例えば、判定部２２は、新たに管理対象となる著作物データのアップロードを許可する。新たに管理対象となる著作物データの内容と同じ内容を有する別の著作物データが、著作物記憶部に記憶されていない場合、新たに管理対象となる著作物データは、オリジナルの著作物データであると推測される。つまり、判定部２２は、新たに管理対象となる著作物データをオリジナルの著作物データであると判定する。オリジナルの著作物データは、元の著作物データであって、当該オリジナルの著作物データの内容と同じ内容を有する他の著作物データよりも先に作成された著作物データである。著作物データを著作物記憶部に記憶することを許可することを示す情報が、情報処理装置１０から端末装置１２に送信されて端末装置１２に表示される。
【００４５】
新たに管理対象となる著作物データの内容と同じ内容を有する別の著作物データが、著作物記憶部に既に記憶されている場合、判定部２２は、これらの著作物データの中で作成日が最も早い著作物データがオリジナルの著作物データであると判定する。つまり、これらの著作物データの中で作成日が最も早い著作物データが、最初に作成された著作物データであると推測され、作成日が遅い著作物データは、後から作成された著作物データであると推測される。
【００４６】
新たに管理対象となる著作物データの内容と同じ内容を有する別の著作物データが、著作物記憶部に既に記憶されている場合において、新たに管理対象となる著作物データの作成日が、当該別の著作物データの作成日よりも早い場合、判定部２２は、新たに管理対象となる著作物データを著作物記憶部に記憶することを許可する。つまり、新たに管理対象となる著作物データはオリジナルの著作物データであると推測されるため、判定部２２は、新たに管理対象となる著作物データを著作物記憶部に記憶することを許可する。
【００４７】
新たに管理対象となる著作物データの内容と同じ内容を有する別の著作物データが、著作物記憶部に既に記憶されている場合において、新たに管理対象となる著作物データの作成日が、当該別の著作物データの作成日よりも遅い場合、判定部２２は、新たに管理対象となる著作物データを著作物記憶部に記憶することを許可しない。つまり、新たに管理対象となる著作物データはオリジナルの著作物データではないと推測されるため、判定部２２は、新たに管理対象となる著作物データを著作物記憶部に記憶することを許可しない。この場合、オリジナルの著作物データであるとは推測されない著作物データが、著作物記憶部に記憶されることを抑制又は防止することができる。著作物データを著作物記憶部に記憶することを許可しないことを示す情報が、情報処理装置１０から端末装置１２に送信されて端末装置１２に表示される。
【００４８】
新たに管理対象となる著作物データの内容と同じ内容を有する別の著作物データが、著作物記憶部に既に記憶されている場合において、新たに管理対象となる著作物データの作成日と、当該別の著作物データの作成日とが同じである場合、判定部２２は、新たに管理対象となる著作物データを著作物記憶部に記憶することを許可しなくてもよいし、新たに管理対象となる著作物データを著作物記憶部に記憶することを許可してもよい。許可又は不許可は、ユーザや管理者等によって設定されてもよい。判定部２２は、これらの著作物データのそれぞれの作成日時を比較し、作成日時が最も早い著作物データをオリジナルの著作物データであると判定してもよい。この場合において、新たに管理対象となる著作物データの作成日時が、当該別の著作物データの作成日時よりも早い場合、判定部２２は、新たに管理対象となる著作物データを著作物記憶部に記憶することを許可する。新たに管理対象となる著作物データの作成日時が、当該別の著作物データの作成日時よりも遅い場合、判定部２２は、新たに管理対象となる著作物データを著作物記憶部に記憶することを許可しない。これらの著作物データの作成日時が同じである場合、判定部２２は、新たに管理対象となる著作物データを著作物記憶部に記憶することを許可しなくてもよいし、新たに管理対象となる著作物データを著作物記憶部に記憶することを許可してもよい。許可又は不許可は、ユーザや管理者等によって設定されてもよい。
【００４９】
また、新たに管理対象となる著作物データの内容と同じ又は類似する内容を有する別の著作物データが、著作物記憶部に記憶されていない場合、判定部２２は、新たに管理対象となる著作物データを著作物記憶部に記憶することを許可してもよい。つまり、新たに管理対象となる著作物データの内容の類似範囲に含まれる別の著作物データが、著作物記憶部に記憶されていない場合、判定部２２は、新たに管理対象となる著作物データを著作物記憶部に記憶することを許可する。例えば、判定部２２は、新たに管理対象となる著作物データのアップロードを許可する。新たに管理対象となる著作物データの内容と同じ又は類似する内容を有する別の著作物データが、著作物記憶部に記憶されていない場合、新たに管理対象となる著作物データは、オリジナルの著作物データであると推測される。
【００５０】
新たに管理対象となる著作物データの内容と同じ又は類似する内容を有する別の著作物データが、著作物記憶部に既に記憶されている場合、判定部２２は、これらの著作物データの中で作成日が最も早い著作物データをオリジナルの著作物データであると判定する。
【００５１】
ある著作物データの内容と別の著作物データの内容とが類似するとは、これらの著作物データの内容が一致する程度が、予め定められた閾値以上となることである。例えば、ある著作物データと別の著作物データとを対象として、各著作物データを構成するタイトルや文章や図や色や音や画像等の各要素や、これらの要素の組み合わせや、各要素の相対的な関係（例えば位置関係や大小関係や色関係等）等を比較することで、これらの著作物データ間の類似度が算出される。その類似度が閾値以上である場合、これらの著作物データの内容は互いに類似していると判定される。この処理は、判定部２２によって行われてもよいし、サーバ等の装置によって行われてもよい。もちろん、公知の技術を用いて類似が判定されてもよい。例えば、画像や文書や音等の類似度を算出する公知のアルゴリズムが用いられてもよい。
【００５２】
新たに管理対象となる著作物データの内容と同じ又は類似する内容を有する別の著作物データが、著作物記憶部に既に記憶されている場合において、新たに管理対象となる著作物データの作成日が、当該別の著作物データの作成日よりも早い場合、判定部２２は、新たに管理対象となる著作物データを著作物記憶部に記憶することを許可する。つまり、新たに管理対象となる著作物データはオリジナルの著作物データであると推測されるため、判定部２２は、新たに管理対象となる著作物データを著作物記憶部に記憶することを許可する。
【００５３】
新たに管理対象となる著作物データの内容と同じ又は類似する内容を有する別の著作物データが、著作物記憶部に既に記憶されている場合において、新たに管理対象となる著作物データの作成日が、当該別の著作物データの作成日よりも遅い場合、判定部２２は、新たに管理対象となる著作物データを著作物記憶部に記憶することを許可しない。つまり、新たに管理対象となる著作物データはオリジナルの著作物データではないと推測されるため、判定部２２は、新たに管理対象となる著作物データを著作物記憶部に記憶することを許可しない。この場合、オリジナルの著作物データであるとは推測されない著作物データが、著作物記憶部に記憶されることを抑制又は防止することができる。
【００５４】
新たに管理対象となる著作物データの内容と同じ又は類似する内容を有する別の著作物データが、著作物記憶部に既に記憶されている場合において、新たに管理対象となる著作物データの作成日と、当該別の著作物データの作成日とが同じである場合、判定部２２は、新たに管理対象となる著作物データを著作物記憶部に記憶することを許可しなくてもよいし、新たに管理対象となる著作物データを著作物記憶部に記憶することを許可してもよい。許可又は不許可は、ユーザや管理者等によって設定されてもよい。判定部２２は、これらの著作物データのそれぞれの作成日時を比較し、作成日時が最も早い著作物データをオリジナルの著作物データであると判定してもよい。この場合において、新たに管理対象となる著作物データの作成日時が、当該別の著作物データの作成日時よりも早い場合、判定部２２は、新たに管理対象となる著作物データを著作物記憶部に記憶することを許可する。新たに管理対象となる著作物データの作成日時が、当該別の著作物データの作成日時よりも遅い場合、判定部２２は、新たに管理対象となる著作物データを著作物記憶部に記憶することを許可しない。これらの著作物データの作成日時が同じである場合、判定部２２は、新たに管理対象となる著作物データを著作物記憶部に記憶することを許可しなくてもよいし、新たに管理対象となる著作物データを著作物記憶部に記憶することを許可してもよい。許可又は不許可は、ユーザや管理者等によって設定されてもよい。
【００５５】
新たに管理対象となる著作物データを著作物記憶部に記憶することが許可され、新たに管理対象となる著作物データが著作物記憶部に送信されると、新たに管理対象となる著作物データは著作物記憶部に記憶される。つまり、オリジナルの著作物データであると推測される著作物データが、著作物記憶部に記憶される。また、管理部２０は、新たに管理対象となる著作物データの属性情報を管理情報に登録する。例えば、新たに管理対象となる著作物データを著作物記憶部に記憶させようとしているユーザが、その記憶の指示を与えた場合に、新たに管理対象となる著作物データが著作物記憶部に送信されて著作物記憶部に記憶される。新たに管理対象となる著作物を著作物記憶部に記憶させようとしているユーザが、その記憶の指示を与えなくても、新たに管理対象となる著作物データが著作物記憶部に送信されて著作物記憶部に記憶されてもよい。
【００５６】
著作物データの作成日や作成日時が不明である場合、判定部２２は、著作物データの最新の更新日や更新日時に基づいて判定を行ってもよい。更新日や更新日時を示す情報は、著作物データの属性情報に含まれている。
【００５７】
また、著作物データの内容が更新された場合、判定部２２は、更新後の内容に応じて判定結果を変える。例えば、新たに管理対象となる著作物データの内容が更新されている場合、判定部２２は、その更新された内容と同じ内容を有する別の著作物データが、著作物記憶部に既に記憶されているか否かに応じて判定結果を変える。その更新された内容と同じ内容を有する別の著作物データが著作物記憶部に記憶されていない場合、判定部２２は、新たに管理対象となる著作物データを著作物記憶部に記憶することを許可する。その更新された内容と同じ内容を有する別の著作物データが著作物記憶部に既に記憶されている場合において、新たに管理対象となる著作物データの更新日が、当該別の著作物データの作成日よりも早い場合、判定部２２は、新たに管理対象となる著作物データを著作物記憶部に記憶することを許可する。当該別の著作物データの内容が更新されている場合において、新たに管理対象となる著作物データの更新日が、当該別の著作物データの更新日よりも早い場合、判定部２２は、新たに管理対象となる著作物データを著作物記憶部に記憶することを許可してもよい。新たに管理対象となる著作物データの更新日が、当該別の著作物データの作成日よりも遅い場合、判定部２２は、新たに管理対象となる著作物データを著作物記憶部に記憶することを許可しない。新たに管理対象となる著作物データの更新日が、当該別の著作物データの更新日よりも遅い場合、判定部２２は、新たに管理対象となる著作物データを著作物記憶部に記憶することを許可しなくてもよい。判定部２２は、新たに管理対象となる著作物データの更新された内容と類似する内容を有する著作物データが、著作物記憶部に既に記憶されているか否かに応じて判定結果を変えてもよい。この場合も、上記の判定処理と同じ処理が行われる。
【００５８】
なお、新たに管理対象となる著作物データの著作者と、上記の別の著作物データの著作者とが同じである場合、判定部２２は、上記の判定を行わなくてもよい。この場合、判定部２２は、新たに管理対象となる著作物データを著作物記憶部に記憶することを許可する。
【００５９】
通知部２４は、新たに管理対象となる著作物データの内容と同じ内容を有する別の著作物データが著作物記憶部に既に記憶されている場合において、新たに管理対象となる著作物データの作成日が当該別の著作物データの作成日よりも早い場合、その旨を、当該別の著作物を著作物記憶部に記憶させたユーザ及び管理者の中の少なくとも一方に通知するように構成されている。通知部２４は、新たに管理対象となる著作物データの内容と同じ又は類似する内容を有する別の著作物データが著作物記憶部に既に記憶されている場合において、新たに管理対象となる著作物データの作成日が当該別の著作物データの作成日よりも早い場合に、その旨を、上記のユーザ及び管理者の中の少なくとも一方に通知してもよい。通知部２４は、例えば、新たに管理対象となる著作物データの作成日が当該別の著作物データの作成日よりも早いことを示す情報を、当該ユーザが利用する端末装置１２や、管理者が利用する端末装置１２に送信する。つまり、新たに管理対象となる著作物データがオリジナルの著作物データであると推測される場合、通知部２４は、その旨を通知する。
【００６０】
新たに管理対象となる著作物データの著作者と、上記の別の著作物データの著作者とが同じである場合、通知部２４は、上記の通知を行わなくてもよい。
【００６１】
制御部２６は、情報処理装置１０の各部の動作を制御するように構成されている。制御部２６は、例えば、判定部２２による判定結果を示す情報を、新たに管理対象となる著作物データを著作物記憶部に記憶させようとしているユーザが利用する端末装置１２に表示させる。具体的には、判定結果を示す情報は、制御部２６の制御の下、情報処理装置１０から端末装置１２に送信されて、端末装置１２に表示される。
【００６２】
また、新たに管理対象となる著作物データの内容と同じ内容を有する別の著作物データが著作物記憶部に既に記憶されている場合において、新たに管理対象となる著作物データの作成日が当該別の著作物データの作成日よりも早い場合、制御部２６は、当該別の著作物データを著作物記憶部から削除してもよい。当該別の著作物データを著作物記憶部に記憶させたユーザや管理者が、削除の指示を与えた場合、制御部２６は、当該別の著作物データを著作物記憶部から削除してもよい。もちろん、制御部２６は、ユーザや管理者から削除の指示を受けずに、当該別の著作物データを著作部記憶部から削除してもよい。オリジナルの著作物データであるとは推測されない著作物データが、著作物記憶部に記憶され続けることを防止することができる。
【００６３】
新たに管理対象となる著作物データの内容と同じ又は類似する内容を有する別の著作物データが著作物記憶部に既に記憶されている場合において、新たに管理対象となる著作物データの作成日が当該別の著作物データの作成日よりも早い場合、制御部２６は、当該別の著作物データを著作物記憶部から削除してもよい。制御部２６は、ユーザや管理者から削除の指示を受けた場合に当該別の著作物データを削除してもよいし、その指示を受けずに、当該別の著作物データを削除してもよい。オリジナルの著作物データであるとは推測されない著作物データが、著作物記憶部に記憶され続けることを防止することができる。
【００６４】
なお、著作物データが著作物記憶部から削除された場合、管理部２０は、削除された著作物データの属性情報を管理情報から削除しなくてもよい。つまり、著作物記憶部に過去に記憶されたことのある著作物データが著作物記憶部から削除された場合であっても、管理部２０は、当該著作物データの属性情報を管理情報から削除しなくてもよい。属性情報を管理情報から削除しないことで、判定部２２は、過去に著作物記憶部に記憶されたことがあるが著作物記憶部から削除された著作物データをも比較の対象として、新たに管理対象となる著作物データを著作物記憶部に記憶することを許可するか否かを判定することができる。もちろん、著作物データが著作物記憶部から削除された場合、管理部２０は、削除された著作物データの属性情報を管理情報から削除してもよい。
【００６５】
以下、図３を参照して、端末装置１２の構成について詳しく説明する。図３には、端末装置１２の構成の一例が示されている。ここでは一例として、端末装置１２は、ＰＣ、タブレットＰＣ、スマートフォン又は携帯電話であるものとする。
【００６６】
通信部２８は通信インターフェースであって、他の装置に情報を送信する機能、及び、他の装置から情報を受信する機能を有する。通信部２８は、無線通信機能を有していてもよいし、有線通信機能を有していてもよい。通信部２８は、無線通信又は有線通信を利用することで通信経路Ｎを介した他の装置と通信してもよいし、近距離無線通信等を利用することで通信経路Ｎを介さずに他の装置と通信してもよい。
【００６７】
ＵＩ部３０はユーザインターフェースであって、表示部と操作部とを含む。表示部は、液晶ディスプレイ等の表示装置である。操作部は、キーボードや入力キーや操作パネル等の入力装置である。ＵＩ部３０は、表示部と操作部とを兼ね備えたタッチパネル等のＵＩ部であってもよい。
【００６８】
記憶部３２は、各種の情報を記憶する１又は複数の記憶領域である。各記憶領域は、例えば、端末装置１２に設けられている１又は複数の記憶装置（例えばハードディスクドライブやメモリ等の物理ドライブ）によって構成されている。
【００６９】
制御部３４は、端末装置１２の各部の動作を制御するように構成されている。例えば、判定部２２の判定結果を示す情報が、情報処理装置１０から端末装置１２に送信されてきた場合、制御部３４は、当該判定結果を示す情報をＵＩ部３０の表示部に表示させる。
【００７０】
なお、判定部２２は端末装置１２に設けられていてもよい。この場合、端末装置１２にて判定部２２による処理が実行されてもよい。
【００７１】
以下、本実施形態に係る情報処理システムについて更に詳しく説明する。
【００７２】
図４を参照して、管理情報について詳しく説明する。図４には、管理テーブルの一例が示されている。管理テーブルは、管理情報の一例に相当し、著作物データの属性情報を管理するためのテーブルである。管理テーブルは、情報処理装置１０の記憶部１６に記憶されている。
【００７３】
ここでは一例として、著作物データの属性情報は、管理番号、タイトル情報、作成日情報、更新日情報、著作者情報、内容情報、類似性情報及び注意フラグ情報を含む。管理テーブルにおいては、一例として、著作物データ毎に、管理番号と、タイトル情報と、作成日情報と、更新日情報と、著作者情報と、内容情報と、類似性情報と、注意フラグ情報とが対応付けられている。
【００７４】
タイトル情報は、著作物データのタイトルを示す情報である。作成日情報は、著作物データの作成日を示す情報である。ここでは一例として作成日が用いられているが、作成日時が用いられてもよい。更新日情報は、著作物データの最新の更新日を示す情報である。ここでは一例として更新日が用いられているが、更新日時が用いられてもよい。著作者情報は、著作物データの著作者名を示す情報である。内容情報は、著作物データの内容を示す情報である。類似性情報は、管理テーブルに登録されている他の著作物データとの類似性を示す情報である。注意フラグ情報は、管理テーブルに登録されている他の著作物データとの関係性に関して、通知部２４が通知すべき情報である。
【００７５】
なお、著作物データが、非電子の著作物の原作を表すデータ（例えば文書データや画像データ等）である場合、その原作の原作作成日や原作作成日時が、管理テーブルに登録されてもよい。
【００７６】
著作物データが著作物記憶部に記憶されると、管理部２０は、当該著作物データの属性情報を管理テーブルに登録する。
【００７７】
新たに管理対象となる著作物データが著作物記憶部に記憶されようとしている場合、判定部２２は、管理テーブルに登録されている各著作物データの属性情報と、新たに管理対象となる著作物データの属性情報とを比較し、新たに管理対象となる著作物データを著作物記憶部に記憶することを許可するか否かを判定する。
【００７８】
図４に示す例では、一例として、新たに管理対象となる著作物データの内容と同じ内容を有する著作物データが著作物記憶部に記憶されていない場合、判定部２２は、新たに管理対象となる著作物データを著作物記憶部に記憶することを許可する。新たに管理対象となる著作物データの内容と同じ内容を有する著作物データが著作物記憶部に既に記憶されている場合、判定部２２は、新たに管理対象となる著作物データを著作物記憶部に記憶することを許可しない。新たに管理対象となる著作物データの内容と異なるが類似する内容を有する著作物データが著作物記憶部に記憶されている場合、判定部２２は、新たに管理対象となる著作物データを著作物記憶部に記憶することを許可する。
【００７９】
管理テーブルにおいては、著作物記憶部に記憶された順番に従って、時系列順に各著作物データの属性情報が登録されている。管理番号が「１」の著作物データが、最初に著作物記憶部に記憶された著作物データあり、著作物記憶部に記憶された順番に従って、「２」以降の管理番号が各著作物データの属性情報に紐付けられる。
【００８０】
図４に示されている各著作物データの内容は他の著作物データの内容と異なるため、各著作物データは著作物記憶部に記憶され、各著作物データの属性情報は管理テーブルに登録されている。この場合において、著作物記憶部に既に記憶されている著作物データの内容と類似する内容を有する著作物データが新たに著作物記憶部に記憶された場合、判定部２２は、これらの著作物データの間の類似性を示す情報や注意フラグ情報を、管理テーブルに登録してもよい。例えば、管理番号が「１」の著作物データの内容と管理番号が「５」の著作物データの内容とは類似するため、その旨を示す情報が、管理番号が「１」の著作物データの属性情報と管理番号が「５」の著作物データの属性情報とに紐付けられて管理テーブルに登録される。また、管理番号が「５」の著作物データが著作物記憶部に記憶されようとしている場合、管理番号が「５」の著作物データの内容と類似する内容を有する著作物データ（ここでは管理番号が「１」の著作物データ）が著作物記憶部に既に記憶されていることを示す注意フラグ情報が、情報処理装置１０から端末装置１２に送信されて、端末装置１２に表示されてもよい。
【００８１】
また、新たに管理対象となる著作物データの内容と異なるが類似する内容を有する著作物データが著作物記憶部に記憶されている場合、判定部２２は、新たに管理対象となる著作物データを著作物記憶部に記憶することを許可しなくてもよい。この場合において、著作物記憶部に記憶されることが許可されなかった著作物データの属性情報が、管理テーブルに登録されてもよい。つまり、著作物記憶部に記憶されようとしたが実際には記憶されなかった著作物データの属性情報も、管理テーブルに登録されてもよい。
【００８２】
例えば、管理番号が「６」の著作物データの内容は、管理番号が「４」の著作物データの内容に類似する。管理番号が「４」の著作物データは、管理番号が「６」の著作物データよりも先に著作物記憶部に記憶されている。また、管理番号が「４」の著作物データの作成日は、管理番号が「６」の著作物データの作成日よりも早い。従って、管理番号が「６」の著作物データを著作物記憶部に記憶することは許可されない。この場合、著作物記憶部に記憶させようとしている著作物データの内容と類似する内容を有する著作物データが著作物記憶部に既に記憶されていることを示す注意フラグ情報が、情報処理装置１０から、管理番号が「６」の著作物データを著作物記憶部に記憶させようとしているユーザが利用する端末装置１２に送信され、端末装置１２に表示される。この場合、管理番号が「６」の著作物データを著作物記憶部に記憶することは許可されない。例えば、管理番号が「６」の著作物データを著作物記憶部にアップロードすることが許可されず、そのアップロードは行われない。この場合も、管理番号が「６」の著作物データの属性情報が、管理テーブルに登録されてもよい。
【００８３】
また、管理番号が「５」の著作物データの内容は、管理番号が「１」の著作物データの内容に類似する。管理番号が「１」の著作物データは、管理番号が「５」の著作物データよりも先に著作物記憶部に記憶されている。管理番号が「５」の著作物データの作成日は、管理番号が「１」の著作物データの作成日よりも早い。従って、管理番号が「５」の著作物データはオリジナルの著作物データであると推測され、管理番号が「５」の著作物データを著作物記憶部に記憶することが許可される。例えば、管理番号が「５」の著作物データを著作物記憶部にアップロードすることが許可される。著作物記憶部に既に記憶されている著作物データよりも、後から著作物記憶部に記憶された著作物データの方が先に作成されている。この場合、通知部２４は、その旨を示す情報を、管理番号が「１」の著作物データを著作物記憶部に記憶させたユーザが利用する端末装置１２に送信する。端末装置１２には、その旨を示す情報が表示される。通知部２４は、その旨を示す情報を、管理者が利用する装置に送信してもよい。
【００８４】
制御部２６は、管理番号が「１」の著作物データを著作物記憶部に記憶させたユーザや管理者から、管理番号が「１」の著作物データの削除の指示を受けた場合、管理番号が「１」の著作物データを著作物記憶部から削除してもよい。制御部２６は、その削除の指示を受けなくても、管理番号が「１」の著作物データを著作物記憶部から削除してもよい。
【００８５】
なお、管理部２０は、著作物記憶部から削除された著作物データの属性情報を管理テーブルから削除してもよいし、当該属性情報を管理テーブルから削除しなくてもよい。当該属性情報が管理テーブルから削除されない場合、判定部２２は、過去に著作物記憶部に記憶されたことがあるが著作物記憶部から削除された著作物データをも比較の対象として、新たに管理対象となる著作物データを著作物記憶部に記憶することを許可するか否かを判定することができる。
【００８６】
以下、著作物データを著作物記憶部に記憶させるときの処理の流れについて説明する。ここでは一例として、ユーザが端末装置１２を利用して、端末装置１２に記憶されている著作物データを、情報処理装置１０に設けられている著作物記憶部に記憶させるものとする。
【００８７】
ユーザがＵＩ部３０を操作して、著作物データを著作物記憶部にアップロードするためのプログラムの実行を指示すると、制御部３４は、当該プログラムを実行することで、図５に示すように、アップロード用の画面３６をＵＩ部３０の表示部に表示させる。画面３６には、入力欄３８とアップロードボタン４０とが表示されている。入力欄３８は、アップロードの対象となる著作物データの名称や、当該著作物データが記憶されている場所を示す情報（例えばパス等）が入力される欄である。ユーザはＵＩ部３０を操作して、アップロードの対象となる著作物データの名称やパスを入力欄３８に入力する。これにより、アップロードの対象となる著作物データがユーザによって指定される。ユーザがアップロードボタン４０を押すと、制御部３４は、アップロード対象の著作物データの属性情報を情報処理装置１０に送信する。アップロード対象の著作物データは、新たに管理対象となる著作物データの一例である。
【００８８】
アップロード対象の著作物データの属性情報が端末装置１２から情報処理装置１０に送信されると、受付部１８は、当該属性情報を受け付ける。
【００８９】
判定部２２は、アップロード対象の著作物データの属性情報と、管理テーブルに登録されている属性情報とに基づいて、アップロード対象の著作物データを著作物記憶部に記憶することを許可するか否かを判定する。つまり、判定部２２は、アップロード対象の著作物データを著作物記憶部にアップロードすることを許可するか否かを判定する。
【００９０】
アップロードが許可された場合、アップロードの作業が進められる。例えば、アップロードの許可を示す情報が情報処理装置１０から端末装置１２に送信され、ＵＩ部３０の表示部に表示される。ユーザがＵＩ部３０を操作してアップロードの続行を指示した場合、アップロード対象の著作物データが端末装置１２から情報処理装置１０に送信されて情報処理装置１０に設けられている著作物記憶部に記憶される。アップロードが許可された場合には、ユーザが指示しなくても、アップロード対象の著作物データが端末装置１２から情報処理装置１０に送信されて著作物記憶部に記憶されてもよい。また、管理部２０は、新たにアップロードされた著作物データの属性情報を管理テーブルに登録する。
【００９１】
アップロードが許可されなかった場合、アップロードの不許可を示す情報が情報処理装置１０から端末装置１２に送信され、ＵＩ部３０の表示部に表示される。ここでは一例として、アップロード対象の著作物データの内容と類似する内容を有する別の著作物データが著作物記憶部に既に記憶されているために、アップロードが許可されなかったものとする。この場合、例えば図６に示されている画面４２が、ＵＩ部３０の表示部に表示される。画面４２には、アップロード対象の著作物データの内容と類似する内容を有する別の著作物データが著作物記憶部に既に記憶されていることを示す情報が表示される。また、アップロードを中止することを示す情報が表示される。
【００９２】
アップロードが許可されなかった場合、ユーザがＵＩ部３０を操作して、アップロードが許可されなかった著作物データのアップロードの続行を指示しても、制御部３４は、当該著作物データを著作物記憶部にアップロードしない。別の例として、当該著作物データが情報処理装置１０に送信されても、受付部１８は、当該著作物データを受け付けず、アップロードを中止してもよい。これにより、著作物データが違法にアップロードされることを抑制又は防止することができる。
【００９３】
著作物記憶部にアップロードされた著作物データは、ＰＣやスマートフォン等の装置や、その他の装置（例えば複合機）にて利用されてもよい。例えば、印刷対象の著作物データが著作物記憶部にアップロードされ、複合機が著作物記憶部から著作物データをダウンロードして印刷してもよい。また、ＰＣが著作物データをダウンロードし、ユーザは、ＰＣを用いて著作物データを閲覧してもよい。著作物データの利用方法はこれらに限られず、著作物データの種類に応じた利用方法によって著作物データが利用されてもよい。
【００９４】
上記の情報処理装置１０及び端末装置１２の各部の機能は、一例としてハードウェアとソフトウェアとの協働により実現される。具体的には、情報処理装置１０及び端末装置１２は、図示しないＣＰＵ等の１又は複数のプロセッサを有している。当該１又は複数のプロセッサが、図示しない記憶装置に記憶されたプログラムを読み出して実行することで、情報処理装置１０及び端末装置１２の各部の機能が実現される。上記プログラムは、ＣＤ又はＤＶＤ等の記録媒体を経由して、又は、ネットワーク等の通信経路を経由して、記憶装置に記憶される。別の例として、情報処理装置１０及び端末装置１２の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、情報処理装置１０及び端末装置１２の各部の機能は、ＤＳＰ（Digital Signal Processor）又はＦＰＧＡ（Field Programmable Gate Array）等によって実現されてもよい。
【符号の説明】
【００９５】
１０  情報処理装置、１２  端末装置、２０  管理部、２２  判定部、２４  通知部。
【図１】
2020187639.tif 000003
【図２】
2020187639.tif 000004
【図３】
2020187639.tif 000005
【図４】
2020187639.tif 000006
【図５】
2020187639.tif 000007
【図６】
2020187639.tif 000008